(57)【特許請求の範囲】
【請求項１】
被収納物の受入開口と受入された前記被収納物を支持する支持底部とを備えた収納体と、
光源と、
前記光源からの光の入射部と前記受入開口を縁取る発光面とを有する周回状をなす導光体とを備えており、
前記入射部は前記導光体の外周部側に位置されると共に、前記外周部と内周部との間には前記受入開口に沿った遮蔽壁が位置されるようになっており、しかも、前記導光体は前記入射部から離れるに従い内周部と外周部との間の距離、及び、前記導光体の厚さの双方を小さくさせる漸減部分を備えてなる、照明装置。
【請求項２】
前記遮蔽壁を前記収納体に一体に形成させると共に、前記導光体に前記遮蔽壁を相補的に受け入れる凹部を形成させてなる、請求項１に記載の照明装置。
【請求項３】
前記遮蔽壁における前記導光体の前記内周部側に向けられた側面を、前記発光面を通じて視認可能で、かつ、前記外周部側に向かうに連れて高まる傾斜を備えた可視側面とさせてなる、請求項１又は２に記載の照明装置。
【請求項４】
前記導光体は、前記収納体と、前記受入開口に倣った開口を備えた化粧体との間に挟持されると共に、
前記化粧体の前記開口の縁部が前記可視側面上に位置されるようにしてなる、請求項３に記載の照明装置。
【請求項５】
前記導光体の前記凹部における前記可視側面に対応する斜面にシボ加工により微細な凹凸を形成させてなる、請求項３又は請求項４に記載の照明装置。
【発明の詳細な説明】
【技術分野】
【０００１】
この発明は、収納体における被収納物の受入開口の開口縁部を輝かせるようにした照明装置に関する。
【背景技術】
【０００２】
一箇所の光源によって、透明リングの全体を輝かせるようにした照光組立体として、特許文献１に示されるものがある。
【先行技術文献】
【特許文献】
【０００３】
【特許文献１】特表２０１０−５２５５４６号公報
【発明の概要】
【発明が解決しようとする課題】
【０００４】
この発明が解決しようとする主たる問題点は、収納体における被収納物の受入開口の開口縁部を輝かせるようにした照明装置において、簡素な構造をもって、かかる開口縁部をいずれの位置においても均一的に輝かせることができるようにする点にある。
【課題を解決するための手段】
【０００９】
前記課題を達成するために、この発明にあっては、照明装置を、被収納物の受入開口と受入された前記被収納物を支持する支持底部とを備えた収納体と、
光源と、
前記光源からの光の入射部と前記受入開口を縁取る発光面とを有する周回状をなす導光体とを備えており、
前記入射部は前記導光体の外周部側に位置されると共に、前記外周部と内周部との間には前記受入開口に沿った遮蔽壁が位置されるようになっており、
しかも、前記導光体は前記入射部から離れるに従い内周部と外周部との間の距離、及び、前記導光体の厚さの双方を小さくさせる漸減部分を備えてなる、ものとした。
【００１０】
前記漸減部分がない場合、入射部からの距離が大きくなるに従って導光体を伝播する光は減衰することから入射部からの距離が大きくなればなるほど発光面の輝度は低下する傾向となる。しかるに、前記導光体に伝播される光は前記内周部と外周部との距離が小さくなればなるほど屈折回数を増やすこととなるので、前記漸減部分を形成することにより、入射部からの距離が大きくなるに従って外部に漏れる光を漸増させることができる。また、前記遮蔽壁によって、入射部からの距離が小さくなるに従って発光面の輝度が上昇する傾向を抑止することができる。これにより、導光体の発光面をその全周に亘って可能な限り均一な輝度で光らせることができ、この発光面によって前記受入開口の開口縁部を、いずれの位置においても同じように輝かせることができる。【００１１】
前記遮蔽壁を前記収納体に一体に形成させると共に、前記導光体に前記遮蔽壁を相補的に受け入れる凹部を形成させるようにしておくことが、この発明の好ましい態様の一つとされる。【００１２】
また、前記遮蔽壁における前記導光体の前記内周部側に向けられた側面を、前記発光面を通じて視認可能で、かつ、前記外周部側に向かうに連れて高まる傾斜を備えた可視側面とさせることが、この発明の好ましい態様の一つとされる。【００１３】
また、前記導光体を、前記収納体と、前記受入開口に倣った開口を備えた化粧体との間に挟持させると共に、前記化粧体の前記開口の縁部が前記可視側面上に位置されるようにしておくことが、この発明の好ましい態様の一つとされる。【００１４】
また、前記導光体の前記凹部における前記可視側面に対応する斜面にシボ加工により微細な凹凸を形成させておくこともある。このようにした場合、この微細な凹凸による乱反射によって発光面をよりむらなく均一に輝いて見せることができる。
【発明の効果】
【００１５】
この発明によれば、収納体における被収納物の受入開口の開口縁部を輝かせるようにした照明装置において、簡素な構造をもって、かかる開口縁部をいずれの位置においても均一的に、つまり、明るい部分と暗い部分とができるだけ存在しないようにして、輝かせることができる。
【図面の簡単な説明】
【００１６】
【図１】図１は、この発明の一実施の形態にかかる照明装置の一構成例（第一例）の斜視図である。
【図２】図２は、前記第一例の分解斜視図である。
【図３】図３は、前記第一例の平面図である。
【図４】図４は、図３におけるＡ−Ａ線位置での断面図である。
【図５】図５は、図３におけるＢ−Ｂ線位置での断面図である。
【図６】図６は、前記第一例を構成する導光体の平面図である。
【図７】図７は、前記第一例を構成する導光体の側面図である。
【図８】図８は、図６におけるＣ−Ｃ線位置での断面図である。
【図９】図９は、この発明の一実施の形態にかかる照明装置の一構成例（第二例）の斜視図である。
【図１０】図１０は、前記第二例の断面図である。
【図１１】図１１は、図１０の要部拡大図である。
【図１２】図１２は、前記第二例を構成する導光体の斜視図である。
【発明を実施するための形態】
【００１７】
以下、図１〜図１２に基づいて、この発明の典型的な実施の形態について、説明する。この実施の形態にかかる照明装置は、収納体１と、光源２と、導光体３とを有し、収納体１における被収納物の受入開口１０の開口縁部１１を、前記光源２と導光体３とによって、いずれの位置においても輝かせるようにしたものである。
【００１８】
図示の例では、前記照明装置を、自動車などの内装品として利用される収納装置としてのカップホルダーとした例を示している。前記導光体３は、かかるカップホルダーの意匠性を高め、また、夜間などにおいてカップホルダー内に飲み物容器をその底側から間違いなく納め入れ可能としている。
【００１９】
（第一例）
先ず、図１〜図８に示される第一例（参考例）について説明する。
【００２０】
収納体１は、被収納物としての飲み物容器をその底部側から受け入れる受入開口１０と、受入された前記飲み物容器の底部を支持する支持底部１２とを備えた箱状を呈している。図示の例では、収納体１は、二つの飲み物容器を同時に保持できる構成となっており、二つの飲み物容器を並列状に受け入れ可能な長さと、一つの飲み物容器の太さに対応した幅とを持った構成となっている。図中符号１３は側壁部であり、この側壁部１３の上端１３ａ（図５参照）が前記受入開口１０の開口縁部１１として機能するようになっている。図５に示すように、側壁部１３の上端１３ａには、側壁部１３に直交する向きに突き出す外鍔部１４が、受入開口１０を巡るように一体に連接されている。収納体１の上部には、かかる外鍔部１４の上面によって、導光体３の支持部１５が形成されている。
【００２１】
この実施の形態にあっては、一つの光源２（図４参照）によって、前記収納体１の受入開口１０の開口縁部１１をいずれの位置においても輝かせるようにしている。図示の例では、かかる光源２はＬＥＤ２０となっている。図示の例では、ＬＥＤ２０が実装された基板２１を、収納体１の前記支持部１５に取り付けることにより、収納体１と光源２とを一体化させている。具体的には、前記収納体１の長さ方向中程の位置であって、前記受入開口１０を挟んだ一方側において、前記支持部１５に凹所１５ａが形成されていると共に、この凹所１５ａの底に貫通穴１５ｂが形成されている。そして、ＬＥＤ２０がこの貫通穴１５ｂ内に位置されるようにして、外鍔部１４の下面に前記基板２１を固定している（図４参照）。
【００２２】
図３に示すように、導光体３は、前記光源２からの光の入射部３０と前記受入開口１０を縁取る発光面３１とを有し周回状を呈している。
【００２３】
図示の例では、図６に示すように、導光体３の内周部３２の平面輪郭形状は、収納体１の受入開口１０の開口縁部１１の輪郭に倣った形状となっており、導光体３も長さと幅とを持った構成となっている。具体的には、導光体３の内周部３２の平面輪郭形状は、その長さ方向中程の位置を挟んだ一方側と他方側とにおいてそれぞれ、仮想の円の円弧に倣った形状となっていると共に、導光体３の内周部３２の広さは前記長さ方向中程の位置に近づくに連れて狭くなっており、前記長さ方向中程の位置を挟んだ一方側の空間Ｓと他方側の空間Ｓ’とは前記長さ方向中程の位置で連通している。図示の例では、かかる導光体３の内周部３２の上部が前記発光面３１として機能するようになっている。導光体３の外周部の平面輪郭形状は、概ね内側の平面輪郭形状に倣った形状となっているが、前記一方側の空間Ｓの中心と前記他方側の空間Ｓ’の中心とを結ぶ仮想の第一線分ｘ（図６参照）の一方側においてはこの第一線分ｘに平行な直線状を呈している。
【００２４】
図示の例では、前記入射部３０は、前記第一線分ｘに対し導光体３の長さ方向中程の位置において直交する仮想の第二線分ｙ（図６参照）上であって、前記第一線分ｘを挟んだ一方側に形成されている。図示の例では、前記入射部３０は、下方に突き出す凸所３０ａとなっている（図７参照）。この凸所３０ａは前記収納体１の凹所１５ａに相補的に受け入れられる形状となっている。図示の例ではさらに、前記凸所３０ａの直上には導光体３に凹み３０ｂが形成されている（図４参照）。そして、かかる導光体３は、前記入射部３０から入射される前記光源２からの光を伝播して全体を輝かせるようになっている。かかる導光体３は、光を透過させると共に、入射された入射光を伝播させて全体を輝かせる機能を備えるものであれば良く、このような機能を備えた公知の透光材料から構成することができる。図示は省略するが、かかる入射部３０には、光源から別の導光体を経由して間接的に光が入射されるようにしておいても構わない。
【００２５】
また、図２に示すように、前記入射部３０は前記導光体３の外周部３３側に位置されると共に、前記外周部３３と内周部３２との間には前記受入開口１０に沿った遮蔽壁４が位置されるようになっている。それと共に、図６に示すように、前記導光体３は前記入射部３０から離れるに従い内周部３２と外周部３３との間の距離を小さくさせる漸減部分３４を備えている。
【００２６】
図示の例では、前記第二線分ｙを挟んだ両側にそれぞれ、前記漸減部分３４を備えている。前記内周部３２と外周部３３との間の距離は、前記第二線分ｙ上であって、前記入射部３０と反対の側においては漸減部分３４の終端３４ａとほぼ等しくなっている（図６参照）。
【００２７】
また、この実施の形態にあっては、前記遮蔽壁４を前記収納体１に一体に形成させると共に、前記導光体３に前記遮蔽壁４を相補的に受け入れる凹部３５を形成させている。具体的には、この実施の形態にあっては、遮蔽壁４は、前記受入開口１０を縁取るように前記支持部１５の上面に形成された凸条となっている。また、前記凹部３５は、前記導光体３の下部に形成された溝状を呈している。
【００２８】
前記漸減部分３４がない場合、入射部３０からの距離が大きくなるに従って導光体３を伝播する光は減衰することから入射部３０からの距離が大きくなればなるほど発光面３１の輝度は低下する傾向となる。しかるに、前記導光体３に伝播される光は前記内周部３２と外周部３３との距離が小さくなればなるほど屈折回数を増やすこととなるので、前記漸減部分３４を形成することにより、入射部３０からの距離が大きくなるに従って外部に漏れる光を漸増させることができる。また、前記遮蔽壁４によって、入射部３０からの距離が小さくなるに従って発光面３１の輝度が上昇する傾向を抑止することができる。これにより、この実施の形態にあっては、導光体３の発光面３１をその全周に亘って可能な限り均一な輝度で光らせることができ、この発光面３１によって前記受入開口１０の開口縁部１１を、いずれの位置においても同じように輝かせることができる。
【００２９】
また、この実施の形態にあっては、図５に示すように、前記遮蔽壁４における前記導光体３の前記内周部３２側に向けられた側面を、前記発光面３１を通じて視認可能で、かつ、前記外周部３３側に向かうに連れて高まる傾斜を備えた可視側面４０とさせている。このようにすると、発光面３１をむらなく均一に輝いて見せることができる。なお、図示の例では、前記遮蔽壁４における前記導光体３の前記外周部３３側に向けられた側面は、支持面に対し実質的に直交する段差面４１となっており、入射部３０側においては遮蔽壁４のこの段差面４１によって発光面３１の輝度が高まりすぎる事態を確実に抑止するようになっている。
【００３０】
なお、図示の例では、図２及び４に示すように、導光体３の上部であって、前記入射部３０側で、かつ、この入射部３０と凹部３５との間となる箇所に、導光体３の厚さ方向略中程の位置までの深さの溝３６が導光体３の内周部３２の輪郭に倣うようにして形成されており、この溝３６によっても入射部３０側において発光面３１の輝度が高まりすぎる事態を抑止するようになっている。
【００３１】
図示の例では、導光体３の周方向いずれの位置においても、遮蔽壁４の可視側面４０の傾斜下端４０ａは収納体１の側壁部１３の上端１３ａと一致しており（図５参照）、傾斜上端４０ｂは発光面３１よりも導光体３の外周部３３側に位置されている。導光体３の内周部３２は、導光体３の厚さ方向中程の位置より下を前記収納体１の側壁部１３の内面と同面をなす垂直部分３２ａとし、これより上を上方に向かうに連れて導光体３の内径を漸増させる向きに傾斜させた傾斜部分３２ｂとしており、この垂直部分３２ａ及び傾斜部分３２ｂが前記発光面３１となっている（図５参照）。
【００３２】
また、この実施の形態にあっては、図２に示すように、前記導光体３は、前記収納体１と、前記受入開口１０に倣った開口５０を備えた化粧体５との間に挟持されるようになっている。化粧体５は、収納体１の支持部１５及び導光体３よりも大きい長方形の板状体に前記開口５０を形成させてなる。前記凹部３５に前記遮蔽壁４をはめ込んで前記支持部１５上に導光体３を位置づけた後、この導光体３上に化粧板を重ね合わせ、三者を一体化させることで照明装置が構成されている。それと共に、かかる化粧体５の開口５０の縁部５１は前記可視側面４０上に位置されるようにしてなっている（図５参照）。これにより、収納体１の受入開口１０の開口縁部１１のみが導光体３の発光面３１によって輝く意匠的効果の作出がなされている。図示の例では、化粧体５の開口縁部１１は、前記導光体３の内周部３２の傾斜部分３２ｂと一緒になって収納体１の受入開口１０上に被収納物を導入し易くする傾斜部５２を形成させる傾斜を備えた構成となっている。
【００３３】
前記導光体３の前記凹部３５における前記可視側面４０に対応する斜面３５ａにシボ加工により微細な凹凸を形成させておくこともある。このようにした場合、この微細な凹凸による乱反射によって発光面３１をよりむらなく均一に輝いて見せることができる。
【００３４】
（第二例）
次いで、図９〜図１２に示される第二例について説明する。
【００３５】
第二例では、導光体３の漸減部分３４は、入射部３０から離れるに従い内周部３２と外周部３３との間の距離ｗ（図１２参照）、及び、前記導光体３の厚さｔ（図１２参照、導光体の上下方向の寸法）の、双方を小さくさせるように構成されている。
【００３６】
また、第二例では、図１２に示すように、導光体３の入射部３０と凹部３５との間となる箇所に、導光体３を上下方向に貫通する穴部３７が形成されている。穴部３７の内周部３２側に位置される輪郭はこの内周部３２の輪郭に倣ったものとなっており、穴部３７の輪郭は平面視の状態において山形状となっている。この第二例では、かかる穴部３７によっても、入射部３０側において発光面３１の輝度が高まりすぎる事態を抑止する効果を得るようになっている。
【００３７】
また、第二例では、導光体３は、入射部３０と光源２との連絡部材３８を有している。連絡部材３８は、棒状をなし、上端３８ａを導光体３の入射部３０の直下において導光体３の下面に一体化させ、下方に突き出している。
【００３８】
この第二例では、図１０に示すように、光源２は、収納体１の支持底部１２側で、側壁部１３の外側に備えられている。図示の例では、前記連絡部材３８の下端３８ｂ側を上方から受け入れる筒状受容部１６の底部に光源２が配されている。
【００３９】
筒状受容部１６の側壁の一部は弾性係合片１６ａとなっている。弾性係合片１６ａの直下には窓孔１６ｂが形成されている。一方、連絡部材３８の下端３８ｂ側には係合突起３８ｃが形成されている。
【００４０】
収納体１に対して導光体３は、筒状受容部１６内に連絡部材３８を差し込むことで、組み合わされるようになっている。この差し込みの過程で係合突起３８ｃが弾性係合片１６ａの内面に摺接して弾性係合片１６ａが一旦外側に撓み出す。連絡部材３８が係合突起３８ｃを窓孔１６ｂに入り込ませる位置まで筒状受容部１６内に差し込まれると、弾性係合片１６ａが弾性復帰し、その下端が係合突起３８ｃの上方に位置してこれに引っかかり、この差し込み状態が維持されるようになっている。この組み合わせ状態において、光源２の光は連絡部材３８内を通じて入射部３０に入射されるようになっている。
【００４１】
この第二例では、前記連絡部材３８と筒状受容部１６とにより、導光体３を収納体１に対し、容易且つ適切に組み合わせることができるようになっている。また、前記連絡部材３８と筒状受容部１６とにより、光源２を照明装置の意匠性に影響しない収納体１の底部側に配置することができ、光源２の設置スペースやレイアウトについての自由度が高くなっている。
【００４２】
また、第二例では、図９に示すように、収納体１は、長方形の板状をなすリッド６を備えている。リッド６は、左右にアーム６ａを有している。アーム６ａは収納体１の幅側の側壁部１３の外側に位置して、この側壁部１３に軸支部材１７によって軸支されている。リッド６は、収納体１の長さ側の側壁部１３の一方の外方に位置した開き位置（図９参照）から受入開口１０を塞ぐ閉じ位置まで実質的に９０度となる範囲で回動されるようになっている。
【００４３】
図示の例では、リッド６が閉じ位置に移動すると、前記幅側の側壁部１３の外方に備えられたラッチ部材７に、アーム６ａの先端に設けられたストライカ部材６ｂが入り込んで係合して、リッド６が閉じ位置にある状態が維持されるようになっている。かかるラッチ部材７は、閉じ位置にあるリッド６を更に若干押し込んだときに前記係合を解いてストライカ部材６ｂをリリースする構成のものとなっている。図示の例では、リッド６部材は図示しない付勢手段により開き位置に向けて常時付勢されており、閉じ位置にあるリッド６を更に若干押し込んでラッチ部材７からストライカ部材６ｂがリリースされると、リッド６部材は自動的に開き位置まで移動するようになっている。
【００４４】
前記光源２に電力を供給する回路の一部を構成するスイッチをラッチ部材７に内蔵させ、前記係合時にのみこのスイッチが開成（ＯＦＦ）されるようにしておけば、リッド６が閉じ位置にあるときは光源２に電力が供給されず、リッド６が開くと同時に光源２に電力を供給して導光体３により収納体１の受入開口１０の開口縁部１１が輝くようにすることができる。
【００４５】
以上に説明した第二例のその余の構成要素は、前記第一例と同一又は実質的に同一であるので、その余の構成要素については第二例を示した図９〜図１２に第一例を示した図１〜図８において用いた符号と同一の符号を付して、その説明を省略する。
【００４６】
なお、当然のことながら、本発明は以上に説明した実施形態に限定されるものではなく、本発明の目的を達成し得るすべての実施形態を含むものである。
【符号の説明】
【００４７】
１  収納体
１０  受入開口
１２  支持底部
２  光源
３  導光体
３０  入射部
３１  発光面
３２  内周部
３３  外周部
３４  漸減部分
４  遮蔽壁
なお、２０１５年５月２８日に出願された日本国特願２０１５−１０８２３９号の明細書、特許請求の範囲、図面及び要約書の全内容をここに引用し、本発明の明細書の開示として、取り入れるものである。
【図１】
0006487546.tif 000002
【図２】
0006487546.tif 000003
【図３】
0006487546.tif 000004
【図４】
0006487546.tif 000005
【図５】
0006487546.tif 000006
【図６】
0006487546.tif 000007
【図７】
0006487546.tif 000008
【図８】
0006487546.tif 000009
【図９】
0006487546.tif 000010
【図１０】
0006487546.tif 000011
【図１１】
0006487546.tif 000012
【図１２】
0006487546.tif 000013